(57)【要約】【課題】ボールマーカーを付着させてもほとんど音がせず、また、表面から滑り落ちることがないようにしたボールマーカー用のクリップを提供する。【解決手段】  永久磁石（６）を内蔵させた基板（４）と、前記基板（４）から延びて前記基板（４）との間で介在物を弾力的に支持することのできるフック（５）と、前記永久磁石（６）を覆う表面板（７）からなる。前記表面板（７）が金属以外の素材からなることを特徴とする。前記表面板（７）の素材は、例えば、天然皮革、合成皮革、合成樹脂板、ゴム板、木板、厚紙、布やフィルムで覆った合成樹脂板・厚紙・木板である。【選択図】図２
0003147208.tif 000002
【実用新案登録請求の範囲】
【請求項１】
永久磁石（６）を内蔵させた基板（４）と、
前記基板（４）から延びて前記基板（４）との間で介在物を弾力的に支持することのできるフック（５）と、
前記永久磁石（６）を覆う表面板（７）からなり、
前記表面板（７）が金属以外の素材からなることを特徴とする
ボールマーカー用のクリップ（２）。
【請求項２】
前記表面板（７）の素材が、天然皮革、合成皮革、合成樹脂板、ゴム板、合成発泡樹脂板、陶器板、木板、厚紙、布やフィルムで覆った合成樹脂板・厚紙・木板のうちの何れかである請求項１記載のボールマーカー用のクリップ（２）。
【請求項３】
前記基板（４）は外側の縁が隆起して壁（４１）を形成しており、前記表面板（７）の厚みは、この壁（４１）の高さとほぼ同じかそれよりも少し高い請求項１又は２記載のボールマーカー用のクリップ（２）。
【請求項４】
前記基板（４）の中央は皿状の窪み（４２）となっており、前記永久磁石（６）がこの窪み（４２）の中に収容されている請求項１〜３の何れかに記載のボールマーカー用のクリップ（２）。
【請求項５】
前記基板（４）と前記永久磁石（６）の間、及び／又は、前記永久磁石（６）と前記表面板（７）の間にさらに介在板が存在する請求項１〜４の何れかに記載のボールマーカー用のクリップ（２）。
【考案の詳細な説明】
【技術分野】
【０００１】
本考案は、ゴルフ競技で使用するボールマーカーを携帯・保持するためのクリップに関する。
【背景技術】
【０００２】
ゴルフ競技において、芝の上に停止したゴルフボールの位置を示す目印として、円板状のボールマーカーが使用される。このボールマーカーを帽子やズボンなどの衣服に着脱自在に取り付けて、携帯・保持するためにクリップが考案されている。例えば、下記特許文献１では、磁石を内蔵した基板と、この基板に取り付けられたフックからなるクリップが開示されている。
【特許文献１】実用新案登録第３１０１４５６号
【考案の開示】
【考案が解決しようとする課題】
【０００３】
上記従来技術では、基板は「亜鉛、真鍮、またはアルミニウムで形成している（［０００７］）」。基板の上には文字や絵を描いて装飾効果を持たせているが、概してつるつるの表面となっている。ここにボールマーカーを勢いよく付着させると、磁石があっても、滑って落ちることがある。また、付着させた瞬間、カチッという金属音がするので、プレーヤー本人にとっても、周囲のプレーヤーにとっても精神集中の妨げとなる。
【０００４】
本考案は、この問題点をなくすために考案したもので、基板の材質を工夫することにより、ボールマーカーを付着させてもほとんど音がせず、また、表面から滑り落ちることがないようにしたボールマーカー用のクリップを提供することを目的とする。
【課題を解決するための手段】
【０００５】
本考案のボールマーカー用のクリップは、永久磁石を内蔵させた基板と、前記基板から延びて前記基板との間で介在物を弾力的に支持することのできるフックと、前記永久磁石を覆う表面板からなり、前記表面板が金属以外の素材からなることを特徴とする。
【考案の効果】
【０００６】
本考案ではクリップ基板の表面板が金属以外の素材からなるので、ボールマーカーを付着させてもほとんど音がしない。また、また、金属板と異なり、適度に摩擦力があるので、勢いよくボールマーカーを付着させても滑り落ちることがない。
【考案を実施するための最良の形態】
【０００７】
金属以外の素材としては、例えば、天然皮革、合成皮革、合成樹脂板、ゴム板、合成発泡樹脂板、陶器板、木板、厚紙、布やフィルムで覆った合成樹脂板・厚紙・木板などが使用可能である。本考案の目的により、ボールマーカーを付着させたときに金属性の音を発するものは排除される。
【０００８】
好ましくは、前記基板は外側の縁が隆起して壁を形成している。前記表面板の厚みは、この壁の高さとほぼ同じかそれよりも少し高い。
【０００９】
前記基板の中央は皿状の窪みとなっており、前記永久磁石はこの窪みの中に収容されている。
【００１０】
必要があれば、基板と永久磁石の間、及び／又は、永久磁石と表面板の間に介在板を置くこともできる。
【実施例１】
【００１１】
以下、添付の図面に基づき、本考案の１実施例に係るボールマーカー用のクリップを説明する。
【００１２】
図１は、ボールマーカー１用のクリップ２を帽子３の庇に取り付けた状態の斜視図である。図２は、展開図である。図３（ａ）は背面図、（ｂ）は平面図、（ｃ）は右側面図、（ｄ）は正面図、（ｅ）は底面図である。
【００１３】
図１に示すように、クリップ２は予め帽子３の庇に取り付けておき、ボールマーカー１は指で摘んで、クリップ２に付着させたり、分離させたりする。
【００１４】
このクリップ２は、基板４と、フック５と、基板４に内蔵される永久磁石６と、表面板７からなる。
【００１５】
基板４とフック５は金属板により一体的に形成されている。フック５は、基板４の一側部から湾曲して延び、フック先端５１と基板４の間で帽子の庇を弾力的に支持している。
【００１６】
基板４は、外側の縁が隆起して壁４１を形成すると共に、中央が皿状の窪み４２となっている。この窪み４２に永久磁石６が接着剤になどにより装着されている。永久磁石６は窪み４２とほぼ同じ形状の楕円板である。
【００１７】
この永久磁石６の上に、表面板７が接着剤になどにより取り付けられる。表面板７の厚みは、図４及び図５に示すように、基板の壁４１の高さとほぼ同じかそれよりもやや厚い。
【００１８】
この表面板７は、金属以外の素材からなる。例えば、天然皮革、合成皮革、合成樹脂板、ゴム板、木板、厚紙、布やフィルムで覆った合成樹脂板・厚紙・木板などが使用可能である。
【００１９】
本考案のボールマーカー用クリップの使用方法は従来品と同じである。ボールマーカー１を付着させたとき、表面板が金属でないため、ほとんど音がしない。また、金属板と異なり、適度に摩擦力があるので、勢いよくボールマーカー１を付着させても滑り落ちることがない。
【図面の簡単な説明】
【００２０】
【図１】ボールマーカー１用のクリップ２を帽子３の庇に取り付けた状態の斜視図である。
【図２】ボールマーカー１用のクリップ２の展開図である。
【図３】（ａ）は背面図、（ｂ）は平面図、（ｃ）は右側面図、（ｄ）は正面図、（ｅ）は底面図である
【図４】図３（ｂ）のＡ−Ａ断面図である。
【図５】図３（ｂ）のＢ−Ｂ断面図である。
【符号の説明】
【００２１】
１     ボールマーカー
２     クリップ
３     帽子
４     基板
４１   壁
４２  窪み
５     フック
５１   フック先端
６     永久磁石
７     表面板
【図１】
0003147208.tif 000003
【図２】
0003147208.tif 000004
【図３】
0003147208.tif 000005
【図４】
0003147208.tif 000006
【図５】
0003147208.tif 000007